(57)【要約】【課題】比較的ワイドな配光特性を有する照明装置を提供する。【解決手段】照明装置１０は、光源２０と、第１主面３３、第１主面３３に沿う第１方向における端部に設けられた第１側端面３５、及び、第１主面３３に沿い、かつ、第１方向と交差する第２方向における端部に設けられた、光源２０が発する光が入射する第１端面３１とを有する導光体３０とを備える。第１主面３３には、長手方向が第１方向に沿う長溝状の凹部３７が複数設けられ、第１側端面３５は、第１主面３３に対してと９０°と異なる角度をなす傾斜面を含む。【選択図】図２
2020161358.tif 000002
【特許請求の範囲】
【請求項１】
光源と、
第１主面、前記第１主面に沿う第１方向における端部に設けられた側端面、及び、前記第１主面に沿い、かつ、前記第１方向と交差する第２方向における端部に設けられた、前記光源が発する光が入射する第１端面とを有する導光体とを備え、
前記第１主面には、長手方向が前記第１方向に沿う長溝状の凹部が複数設けられ、
前記側端面は、前記第１主面に対して９０°と異なる角度をなす傾斜面を含む
照明装置。
【請求項２】
前記傾斜面は、前記導光体の前記第１主面側が、前記導光体の前記第１主面の反対側の第２主面側よりも外側に出っ張るように傾斜する平面である
請求項１に記載の照明装置。
【請求項３】
前記側端面は、前記第１主面に対する角度が互いに異なる複数の前記傾斜面を含む
請求項１または２に記載の照明装置。
【請求項４】
前記傾斜面は、傾斜角が連続的に変化する曲面である
請求項１〜３のいずれか１項に記載の照明装置。
【請求項５】
前記傾斜面が前記第１主面となす角度を９０°−φとすると、φは、１°＜φ＜１０°を満たす
請求項１〜４のいずれか１項に記載の照明装置。
【請求項６】
前記第１端面には、前記第１方向に沿う断面Ｖ字状の溝が複数並んで設けられる
請求項１〜５のいずれか１項に記載の照明装置。
【請求項７】
前記第１端面には、前記第１主面と交差する方向に沿う断面Ｖ字状の溝が複数並んで設けられる
請求項１〜５のいずれか１項に記載の照明装置。
【請求項８】
さらに、前記第１主面に対向する反射板を備える
請求項１〜７のいずれか１項に記載の照明装置。
【請求項９】
前記第１主面における複数の前記凹部の密度は、前記光源から遠い領域ほど大きい
請求項１〜８のいずれか１項に記載の照明装置。
【請求項１０】
複数の前記凹部のそれぞれは、前記第１主面に対して傾斜した側面を含み、
複数の前記凹部の前記側面の傾斜角は、前記第１主面の前記光源から遠い場所に位置する前記凹部の前記側面ほど大きい
請求項１〜９のいずれか１項に記載の照明装置。
【請求項１１】
さらに、前記導光体の、前記第１端面の反対側の第２端面に光学的に密着する光吸収材を備える
請求項１〜１０のいずれか１項に記載の照明装置。
【請求項１２】
前記光源は、前記第１方向に沿うライン状の発光領域を有する
請求項１〜１１のいずれか１項に記載の照明装置。
【発明の詳細な説明】
【技術分野】
【０００１】
本発明は、導光体を備える照明装置に関する。
【背景技術】
【０００２】
近年、ＬＥＤ（Ｌｉｇｈｔ  Ｅｍｉｔｔｉｎｇ  Ｄｉｏｄｅ）を用いた光源が普及しつつある。例えば、特許文献１には、高輝度で輝度の均一な面状発光装置が開示されている。
【先行技術文献】
【特許文献】
【０００３】
【特許文献１】特開２００４−１２７９３１号公報
【発明の概要】
【発明が解決しようとする課題】
【０００４】
本発明は、比較的ワイドな配光特性を有する照明装置を提供する。
【課題を解決するための手段】
【０００５】
本発明の一態様に係る照明装置は、光源と、第１主面、前記第１主面に沿う第１方向における端部に設けられた側端面、及び、前記第１主面に沿い、かつ、前記第１方向と交差する第２方向における端部に設けられた、前記光源が発する光が入射する第１端面とを有する導光体とを備え、前記第１主面には、長手方向が前記第１方向に沿う長溝状の凹部が複数設けられ、前記側端面は、前記第１主面に対して９０°と異なる角度をなす傾斜面を含む。
【発明の効果】
【０００６】
本発明によれば、比較的ワイドな配光特性を有する照明装置が実現される。
【図面の簡単な説明】
【０００７】
【図１】図１は、実施の形態に係る照明装置の外観斜視図である。
【図２】図２は、実施の形態に係る照明装置の内部構造を示す図である。
【図３】図３は、実施の形態に係る照明装置の配光特性を模式的に示す図である。
【図４Ａ】図４Ａは、導光体の側端面の形状の変形例１を示す図である。
【図４Ｂ】図４Ｂは、導光体の側端面の形状の変形例２を示す図である。
【図５】図５は、導光体の第１端面の形状の変形例１を示す図である。
【図６】図６は、導光体の第１端面の形状の変形例２を示す図である。
【図７】図７は、複数の凹部が不均一な密度で配置された導光体の一例を示す図である。
【図８】図８は、複数の凹部の形状が当該凹部の位置に応じて異なる導光体の一例を示す図である。
【図９】図９は、光吸収材を備える照明装置の内部構造を示す図である。
【図１０】図１０は、反射板を備える照明装置の内部構造を示す図である。
【図１１】図１１は、光源の変形例を示す図である。
【発明を実施するための形態】
【０００８】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【０００９】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１０】
また、以下の実施の形態で説明に用いられる図面においては座標軸が示される場合がある。Ｚ軸方向は、照明装置の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１１】
（実施の形態）
［照明装置］
以下、実施の形態に係る照明装置について説明する。図１は、実施の形態に係る照明装置の外観斜視図である。
【００１２】
図１に示されるように、実施の形態に係る照明装置１０は、長尺平板状のポールライトであり、本体部１１と、本体部１１の上端部に設けられた発光部１２とを備える。発光部１２の高さは、地上から５０ｃｍ〜７０ｃｍの位置である。照明装置１０は、発光部１２の周辺であって、発光部１２よりも下方を照明するような配光特性を有する。発光部１２よりも上方に光が発せられると、照明装置１０の周辺を通る人がまぶしく感じてしまうためである。
【００１３】
次に、このような配光特性を実現するための照明装置１０の内部構造について説明する。図２は、照明装置１０の内部構造を示す図である。図２の（ａ）は、照明装置１０の内部構造をＸ軸方向から見た図であり、図２の（ｂ）は、照明装置１０の内部構造をＹ軸方向から見た図であり、図２の（ｃ）は、照明装置１０の内部構造をＺ軸方向から見た図である。図２に示されるように、照明装置１０は、光源２０と、導光体３０とを備える。
【００１４】
［光源］
光源２０は、導光体３０の上方に位置し、導光体３０の第１端面３１に向けて光を発する発光モジュールである。光源２０は、基板２１と、発光素子２２とを有する。
【００１５】
基板２１は、図中のＸ軸方向に長い長尺矩形状の基板である。基板２１の長手方向は、Ｘ軸方向であり、基板２１の短手方向は、Ｙ軸方向である。基板２１は、導光体３０の第１端面３１に平行に配置される。なお、基板２１の形状は、特に限定されない。
【００１６】
基板２１は、具体的には、樹脂基板、セラミック基板、または、メタルベース基板等のリジッド基板である。
【００１７】
基板２１のうち複数の発光素子２２が実装された主面である実装面は、導光体３０の第１端面３１に対向する。複数の発光素子２２は、基板２１の長手方向に沿って一列に並んで配置される。
【００１８】
発光素子２２は、白色光を発する表面実装型（Ｓｕｒｆａｃｅ  Ｍｏｕｎｔ  Ｄｅｖｉｃｅ：ＳＭＤ型）のＬＥＤ素子である。表面実装型のＬＥＤ素子とは、樹脂成型されたキャビティの中にＬＥＤチップを実装し、かつ、当該キャビティ内に蛍光体含有樹脂を封入したパッケージ型のＬＥＤ素子である。発光素子２２は、発光素子２２の下方に位置する導光体３０の第１端面３１に向けて、例えば、昼光色〜電球色（色温度２６００Ｋ以上７１００Ｋ以下）の白色光を発する。
【００１９】
なお、光源２０は、ケーブル（図示せず）によって、本体部１１内の電源回路（図示せず）と電気的に接続され、電源回路から供給される電力を用いて光を発する。
【００２０】
［導光体］
導光体３０は、Ｙ軸方向から見た形状が矩形の平板状の光学部材であり、言い換えれば、導光板である。導光体３０は、透明の部材であるが、透光性を有する部材であればよい。導光体３０は、例えば、アクリルによって形成されるが、ポリカーボネートまたはガラスなどであってもよい。
【００２１】
導光体３０は、第１端面３１、第２端面３２、第１主面３３、第２主面３４、第１側端面３５、及び、第２側端面３６を有する。
【００２２】
第１端面３１は、導光体３０のＺ軸方向における端部に設けられた、光源２０が発する光が入射する端面であり、例えば、平面である。第２端面３２は、導光体３０のＺ軸方向における端部に設けられた、第１端面３１の反対側に位置する端面（つまり、第１端面３１と背向する端面）であり、例えば、平面である。
【００２３】
第１主面３３は、第１端面３１に入射した光を反射する反射構造が設けられた主面である。第１主面３３には、反射構造として、長溝状の微細な凹部３７が多数設けられる。図中では、説明のために凹部３７が大きく図示されているが、実際には微細である。長溝状の凹部の長手方向は、Ｘ軸方向に沿う。Ｘ軸方向は、言い換えれば、第１主面３３に沿う第１方向であり、第１端面３１及び第２端面３２が並ぶ第２方向（Ｚ軸方向）に垂直な方向である。
【００２４】
長溝状の凹部３７の断面形状は、例えば、Ｖ字状であるが、特に限定されない。凹部３７の具体的な形状としては、図２において３種類の形状が例示されている。
【００２５】
このような長溝状の凹部３７（プリズム）は、光源２０側（第１端面３１側）を向く側面３８（言い換えれば、制御面）の面積が比較的大きいため、光制御効率が高く、配光制御性に優れている。凹部３７によれば、Ｘ軸方向にワイドな配光特性を効率的に実現することができる。
【００２６】
第２主面３４は、第１主面３３と反対側に位置する主面（つまり、第１主面３３と背向する主面）である。第２主面３４は平面である。第２主面３４には、反射構造が設けられていないが、第１主面３３同様に、反射構造として、長溝状の微細な凹部３７が多数設けられていてもよい。
【００２７】
第１側端面３５は、導光体３０のＸ軸方向における端部に設けられた端面である。第２側端面３６は、導光体３０のＸ軸方向における端部に設けられた、第１側端面３５の反対側に位置する側端面（つまり、第１側端面３５と背向する側端面）である。
【００２８】
第１側端面３５及び第２側端面３６のそれぞれは、第１主面３３（または第２主面３４）に対して９０°と異なる角度をなす傾斜面を含む。第１側端面３５及び第２側端面３６のそれぞれは、具体的には、全部が単一の傾斜面であり、第１主面３３と９０°−φの角度をなす。
【００２９】
傾斜面は、第１主面３３側が、第２主面３４側よりも外側に出っ張るように傾斜している（テーパ状に傾斜している）。このような構成は、複数の凹部３７がスタンパを用いたプレス加工によって形成されるような場合に、傾斜面がいわゆる抜き勾配として機能するため金型設計が容易であるという利点を有する。傾斜面は、第２主面３４側が、第１主面３３側よりも外側に出っ張るように傾斜していてもよい（逆テーパ状に傾斜していてもよい）。第１側端面３５に含まれる傾斜面と、第２側端面３６に含まれる傾斜面とは、線対称の関係となっているが、点対称の関係となっていてもよいし、対称性を有していなくてもよい。第１側端面３５及び第２側端面３６のそれぞれは、少なくとも一部が第１主面３３（または第２主面３４）に対して９０°と異なる角度をなすように傾斜していればよい。
【００３０】
このように第１側端面３５が傾斜していれば、凹部３７によって反射されて導光体３０の内部から第１側端面３５に到達する光がもう一度凹部３７に向けて反射される確率が高まり、これが繰り返されることで、Ｘ軸方向にワイドな配光特性を実現することができる。第２側端面３６についても同様の機能を有する。
【００３１】
以上説明したように、導光体３０は、長溝状の凹部３７が設けられた第１主面３３、及び、第１主面３３に対して９０°と異なる角度をなすように傾斜した傾斜面を含む第１側端面３５を有する。このような導光体３０によれば、Ｘ軸方向に比較的ワイドな配光特性を有する照明装置１０を実現することができる。図３は、照明装置１０の配光特性を模式的に示す図である。図３の（ａ）は、照明装置１０をＸ軸方向から見た図であり、図３の（ｂ）は、照明装置１０をＹ軸方向から見た図である。
【００３２】
なお、上記φは、例えば、１°＜φ＜１０°である。このようにφが設定されることで、配光特性と、光学効率とが良いバランスになる。
【００３３】
［側端面の形状の変形例］
以下、第１側端面３５及び第２側端面３６の形状の変形例について説明する。図４Ａは、第１側端面３５及び第２側端面３６の形状の変形例１を示す図であり、図４Ｂは、第１側端面３５及び第２側端面３６の形状の変形例２を示す図である。
【００３４】
図４Ａに示される導光体３０ａにおいては、第１側端面３５ａ及び第２側端面３６ａのそれぞれは、第１主面３３に対する角度が互いに異なる複数の傾斜面を含む。複数の傾斜面には、傾斜方向が異なるものが含まれる。複数の傾斜面は、規則的に形成されていてもよいし、不規則に形成されていてもよい。このように、第１側端面３５ａ及び第２側端面３６ａのそれぞれに、傾斜方向が異なる複数の傾斜面が含まれれば、第１主面３３と第２主面３４の面積差が小さくなるため、導光体３０ａの保持構造の設計が容易になる。
【００３５】
また、図４Ｂに示される導光体３０ｂにおいては、第１側端面３５ｂ及び第２側端面３６ｂのそれぞれは、傾斜角が連続的に変化する曲面を傾斜面として含む。このように、傾斜面が平面であることは必須ではなく、傾斜面は、曲面であってもよい。第１側端面３５ｂ及び第２側端面３６ｂのそれぞれに、傾斜角が連続的に変化する曲面が含まれれば、導光体３０ｂの配光特性のカーブがピーキーになってしまうことが抑制され、導光体３０ｂから出射される光の見た目を向上することができる。
【００３６】
［第１端面の形状の変形例１］
以下、第１端面３１の形状の変形例について説明する。図５は、第１端面３１の形状の変形例１を示す図である。図５の（ａ）は、導光体３０ｃをＸ軸方向から見た図であり、図５の（ｂ）は、導光体３０ｃをＹ軸方向から見た図であり、図５の（ｃ）は、導光体３０ｃをＺ軸方向から見た図である。
【００３７】
図５に示される導光体３０ｃの第１端面３１ｃには、Ｙ軸方向（言い換えれば、第１主面３３に垂直に交差する方向）に沿う断面Ｖ字状の溝が、Ｘ軸方向に複数並んで設けられる。このような第１端面３１ｃの形状によれば、導光体３０ｃからＸ軸方向の広い範囲に光を出射できる。つまり、導光体３０ｃは、Ｘ軸方向にワイドな配光特性を有する照明装置１０を実現することができる。
【００３８】
［第１端面の形状の変形例２］
以下、第１端面３１の形状の変形例について説明する。図６は、第１端面３１の形状の変形例２を示す図である。図６の（ａ）は、導光体３０ｄをＸ軸方向から見た図であり、図６の（ｂ）は、導光体３０ｄをＹ軸方向から見た図であり、図６の（ｃ）は、導光体３０ｄをＺ軸方向から見た図である。
【００３９】
図６に示される導光体３０ｄの第１端面３１ｄには、Ｘ軸方向に沿う断面Ｖ字状の溝が、Ｙ軸方向に複数並んで設けられる。このような第１端面３１ｄの形状によれば、導光体３０ｄからＸ軸方向の広い範囲に光を出射できる。つまり、導光体３０ｄは、Ｘ軸方向にワイドな配光特性を有する照明装置１０を実現することができる。
【００４０】
［凹部の密度］
複数の凹部３７の密度は、例えば、均一であるが、不均一であってもよい。図７は、複数の凹部３７が不均一な密度で配置された導光体の一例を示す図である。
【００４１】
図７に示される導光体３０ｅの第１主面３３における複数の凹部３７の（単位面積あたりの）密度は、Ｚ軸方向において光源２０から遠い領域ほど大きい。言い換えれば、複数の凹部３７の密度は、光源２０に近い領域で最も小さく、光源２０から離れるほど大きくなる。複数の凹部３７の密度は、線形に増加してもよいし、非線形に増加してもよい。
【００４２】
このような導光体３０ｅは、正面（つまり、Ｙ軸方向）から見た導光体３０ｅ発光面輝度を均一に近づけることができる。
【００４３】
［凹部の形状］
複数の凹部３７の形状は、例えば、全て同一であるが、全て同一でなくてもよい。図８は、複数の凹部３７の形状が当該凹部３７の位置に応じて異なる導光体の一例を示す図である。図８の（ａ）は、導光体３０ｆをＸ軸方向から見た図であり、図８の（ｂ）は、導光体３０ｆをＹ軸方向から見た図であり、図８の（ｃ）は、導光体３０ｆをＺ軸方向から見た図である。
【００４４】
図８に示される導光体３０ｆの第１主面３３に設けられた複数の凹部３７のそれぞれは、長溝状であるが、第１主面３３に対する凹部３７の側面３８の角度θが、凹部３７の位置に応じて異なる。具体的には、複数の凹部３７の側面３８の傾斜角θは、Ｚ軸方向において第１主面３３の光源２０から遠い場所に位置する凹部３７の側面３８ほど大きい。
【００４５】
このような導光体３０ｆは、正面（つまり、Ｙ軸方向）から見た導光体３０ｆの発光面輝度を均一に近づけることができる。
【００４６】
［光吸収材］
ところで、照明装置１０においては、第１主面３３に設けられた複数の凹部３７は、第１端面３１に入射した光源２０からの光を反射し、この結果、上記図３のような配光特性が実現される。このとき、第１端面３１に入射した光源２０からの光が第２端面３２において反射し、導光体３０の内部に戻って複数の凹部３７によって反射されると、配光の乱れ（設計上、意図しない領域へ光が出射されること）の原因となる。上述のように照明装置１０がローポールライトである場合、配光の乱れにより上方に光が出射されると、照明装置１０の周辺を通行する人は、まぶしく感じてしまう。
【００４７】
このような配光の乱れを抑制するために、第２端面３２は光吸収材によって覆われてもよい。図９は、光吸収材を備える照明装置の内部構造を示す図である。図９の（ａ）は、照明装置１０ａの内部構造をＸ軸方向から見た図であり、図９の（ｂ）は、照明装置１０ａの内部構造をＹ軸方向から見た図であり、図２の（ｃ）は、照明装置１０ａの内部構造をＺ軸方向から見た図である。
【００４８】
図９に示されるように、照明装置１０ａは、光吸収材４０を備える。光吸収材４０は、第２端面３２に光学的に密着し、第２端面３２における光の全反射を抑制する。光吸収材４０は、具体的には、第２端面３２の全部を覆うように、第２端面３２に光学的に密着する。光吸収材４０は、塗装、樹脂充填、接着、インサート成形、または２色成形などの手法により、第２端面３２に光学的に密着する。光吸収材４０がテープ状の部材である場合、光吸収材４０は、このようなテープの貼り付けによって第２端面３２に光学的に密着する。
【００４９】
光吸収材４０は、例えば、導光体３０と実質的に同一の屈折率を有する材料を母材として、当該母材にカーボンなどの光吸収機能を有する添加物（例えば、黒色の添加物）が添加されることによって形成される。光吸収材４０の屈折率が導光体と実質的に同一の屈折率を有することは必須ではなく、光吸収材４０の屈折率と導光体３０の屈折率との比が、０．９以上１．１以下であれば、第２端面３２における光の全反射を抑制する一定の効果が得られる。導光体３０がアクリル樹脂によって形成される場合、光吸収材４０の屈折率は、例えば、１．４以上１．６以下である。
【００５０】
このように、光吸収材４０を備える照明装置１０ａは、配光特性の乱れを抑制することができる。
【００５１】
［反射板］
照明装置１０は、さらに、第１主面３３に対向する反射板を備えてもよい。図１０は、このような反射板を備える照明装置の内部構造を示す図である。図１０の（ａ）は、照明装置１０ｂをＸ軸方向から見た図であり、図１０の（ｂ）は、照明装置１０ｂをＹ軸方向から見た図であり、図１０の（ｃ）は、照明装置１０ｂをＺ軸方向から見た図である。
【００５２】
図１０に示される照明装置１０ｂは、第１主面３３に対向する反射板５０を備える。反射板５０は、例えば、アルミニウム等の金属材料によって形成され、第１主面３３に対向する面が鏡面である。なお、反射板５０は、金属膜を付加した樹脂材料でもよく、また白色樹脂材料、または、白色塗装した金属材料によって形成されてもよい。
【００５３】
このように反射板５０を備える照明装置１０ｂは、片側（図１０の例ではＹ軸−側）にのみ効率的に光を反射することができる。例えば、導光体３０において、第１主面３３側に出射される光の配光特性と、第２主面３４側に出射される光の配光特性とを似せるように凹部３７を設計した場合、第１主面３３側に出射される光を反射板５０で反射させることで第２主面３４側に出射される光を一層際立たせることができる。
【００５４】
［光源の変形例］
光源２０は、いわゆるＳＭＤ型の発光モジュールであるが、光源２０の具体的態様は特に限定されない。例えば、光源２０として、ＣＯＢ（Ｃｈｉｐ  Ｏｎ  Ｂｏａｒｄ）型の発光モジュールが用いられてもよい。図１１は、このような光源の変形例を示す図である。
【００５５】
光源２０ａにおいて、複数の発光素子２２ａのそれぞれは、例えば、青色ＬＥＤチップであり、基板２１の長手方向に沿って一列に並んで配置される。
【００５６】
複数の発光素子は、蛍光体を含む封止部材２３によってライン状に封止される。封止部材２３の基材は、例えば、シリコーン樹脂であるが、エポキシ樹脂またはユリア樹脂などであってもよい。封止部材２３には、例えば、黄色蛍光体または緑色蛍光体の少なくとも一方が含まれる。封止部材２３には、黄色蛍光体または緑色蛍光体の少なくとも一方に加えて赤色蛍光体が含まれてもよい。
【００５７】
このような光源２０ａは、白色光が発せられるライン状の発光領域を有し、光源２０に比べて出射光の輝度ムラ（粒感）が小さい。したがって、光源２０ａは、照明装置１０から出射される光の見た目を向上することができる。
【００５８】
［効果等］
以上説明したように、照明装置１０は、光源２０と、第１主面３３、第１主面３３に沿う第１方向における端部に設けられた第１側端面３５、及び、第１主面３３に沿い、かつ、第１方向と交差する第２方向における端部に設けられた、光源２０が発する光が入射する第１端面３１とを有する導光体３０とを備える。第１主面３３には、長手方向が第１方向に沿う長溝状の凹部３７が複数設けられ、第１側端面３５は、第１主面３３に対してと９０°と異なる角度をなす傾斜面を含む。第１方向は、上記実施の形態ではＸ軸方向であり、第２方向は、上記実施の形態ではＺ軸方向である。
【００５９】
このような導光体３０によれば、Ｘ軸方向に比較的ワイドな配光特性を有する照明装置１０が実現される。
【００６０】
また、例えば、上記傾斜面は、導光体３０の第１主面３３側が、導光体３０の第１主面３３の反対側の第２主面３４側よりも外側に出っ張るように傾斜する平面である。
【００６１】
このような導光体３０は、複数の凹部３７がスタンパを用いたプレス加工によって形成されるような場合に、傾斜面がいわゆる抜き勾配として機能するため、導光体３０を成形するための金型設計が容易であるという利点を有する。
【００６２】
また、例えば、導光体３０ａの第１側端面３５ａは、第１主面３３に対する角度が互いに異なる複数の傾斜面を含む。
【００６３】
このような複数の傾斜面により第１主面３３と第２主面３４の面積差が小さくなれば、導光体３０ａの保持構造の設計が容易になる。
【００６４】
また、例えば、導光体３０ｂの第１側端面３５ｂに含まれる傾斜面は、傾斜角が連続的に変化する曲面である。
【００６５】
このような導光体３０ｂにおいては配光特性のカーブがピーキーになってしまうことが抑制されるため、導光体３０ｂから出射される光の見た目を向上することができる。
【００６６】
また、例えば、上記傾斜面が第１主面３３となす角度を９０°−φとすると、φは、１°＜φ＜１０°を満たす。
【００６７】
このような導光体３０においては、配光特性と光学効率とが良いバランスとなる。
【００６８】
また、例えば、導光体３０ｄの第１端面３１ｄには、第１方向に沿う断面Ｖ字状の溝が複数並んで設けられる。
【００６９】
このような導光体３０ｄは、第１方向にワイドな配光特性を有する照明装置１０を実現することができる。
【００７０】
また、例えば、導光体３０ｃの第１端面３１ｃには、第１主面３３と交差する方向に沿う断面Ｖ字状の溝が複数並んで設けられる。
【００７１】
このような導光体３０ｃは、第１方向にワイドな配光特性を有する照明装置１０を実現することができる。
【００７２】
また、例えば、照明装置１０ｂは、さらに、第１主面３３に対向する反射板５０を備える。
【００７３】
このような照明装置１０ｂは、片側にのみ効率的に光を反射することができる。例えば、導光体３０において、第１主面３３側に出射される光の配光特性と、第２主面３４側に出射される光の配光特性とを似せるように凹部３７を設計した場合、第１主面３３側に出射される光を反射板５０で反射させることで第２主面３４側に出射される光を一層際立たせることができる。
【００７４】
また、例えば、導光体３０ｅの第１主面３３における複数の凹部３７の密度は、光源２０から遠い領域ほど大きい。
【００７５】
このような導光体３０ｅは、正面から見た導光体３０ｅ発光面輝度を均一に近づけることができる。
【００７６】
また、例えば、導光体３０ｆにおいて、複数の凹部３７のそれぞれは、第１主面３３に対して傾斜した側面３８を含み、複数の凹部３７の側面３８の傾斜角は、第１主面３３の光源２０から遠い場所に位置する凹部３７の側面３８ほど大きい。
【００７７】
このような導光体３０ｆは、正面から見た導光体３０ｆ発光面輝度を均一に近づけることができる。
【００７８】
また、例えば、照明装置１０ａは、さらに、導光体３０の、第１端面３１の反対側の第２端面３２に光学的に密着する光吸収材４０を備える。
【００７９】
このような照明装置１０ａは、光吸収材４０によって第２端面３２における光の全反射が抑制されるため、配光の乱れを抑制することができる。
【００８０】
また、例えば、光源２０ａは、第１方向に沿うライン状の発光領域を有する。
【００８１】
このような光源２０ａは、照明装置１０から出射される光の見た目を向上することができる。
【００８２】
（その他の実施の形態）
以上、実施の形態について説明したが、本発明は、上記実施の形態に限定されるものではない。
【００８３】
上記実施の形態では、照明装置としてポールライトが例示されたが、本発明は、その他の照明装置として実現されてもよい。例えば、本発明は、住宅などの壁の下方に設置され、ユーザの足元を照らすフットライトとして実現されてもよいし、導光体を用いたその他の照明装置として実現されてもよい。
【００８４】
また、上記実施の形態では、光源として、ＬＥＤを用いた発光モジュールが用いられたが、光源としては、有機ＥＬ素子（ＯＬＥＤ）または無機ＥＬ素子等のＬＥＤ以外の固体発光素子を含む発光モジュールが用いられてもよい。
【００８５】
また、上記実施の形態では、導光体として平面視形状が矩形の導光板が例示されたが、照明装置にはその他の形状の導光板が用いられてもよいし、棒状の導光体などが用いられてもよい。
【００８６】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００８７】
１０、１０ａ、１０ｂ  照明装置
２０、２０ａ  光源
３０、３０ａ〜３０ｆ  導光体
３１、３１ｃ、３１ｄ  第１端面
３２  第２端面
３３  第１主面
３４  第２主面
３５、３５ａ、３５ｂ  第１側端面
３６、３６ａ、３６ｂ  第２側端面
３７  凹部
３８  側面
４０  光吸収材
５０  反射板
【図１】
2020161358.tif 000003
【図２】
2020161358.tif 000004
【図３】
2020161358.tif 000005
【図４Ａ】
2020161358.tif 000006
【図４Ｂ】
2020161358.tif 000007
【図５】
2020161358.tif 000008
【図６】
2020161358.tif 000009
【図７】
2020161358.tif 000010
【図８】
2020161358.tif 000011
【図９】
2020161358.tif 000012
【図１０】
2020161358.tif 000013
【図１１】
2020161358.tif 000014